(57)【要約】サッカーゴール（１００）等の本発明による競技用ゴールは、縦方向および横方向の両方に折り畳める。ゴールは、縦方向の折畳みの間、ゴールの前方支柱がゴールの下側後方支持部材の下方に折り重なり、ゴールの可搬性を向上させるためのゴールの折畳みを容易にする継手と、ブラケットとを含む。ゴールは、安定化アームと、対応する収容部とを含み、ゴールを折畳み位置に安定化させる。また、ゴールは、抵抗要素（２０１）を有し、ゴールが過度に急速に折り畳まれることを防止する。さらに、ゴールは、上コーナーブラケット内に回転継手（３０１）を組み込み、上コーナーブラケット内のスロット（１２７）および支柱内の切欠きとの締まり嵌めを提供して、ゴールが使用のために直立または開放位置にあるときの安定性を提供する。ネットの重量下のゴールの横方向安定性は、ゴールの地表面における角ブラケット（１１０）によって向上させられる。
2012514523.tif 000002
【特許請求の範囲】
【請求項１】
折畳み可能な競技用ゴールであって、
支柱と、
第１の可動接続を介して該支柱に接続されている上側後方支持部材と、
第２の可動接続を介して後方ブラケットに接続されている第１の端部と、第３の可動接続を介して該上側後方支持部材の第２の端部に接続されている第２の端部とを有する下側後方支持部材と
を備え、該第３の可動接続は、該ゴールが直立位置にあるときに、圧力を該支柱に印加することにより、該上側後方支持部材と下側後方支持部材とが相互に対して移動し、該支柱が完全に折り畳まれると、該支柱の少なくとも一部が少なくとも該下側後方支持部材の下に位置するような方向に折り重なるようなものである、ゴール。
【請求項２】
前記第１、第２、および第３の可動接続は、旋回接続である、請求項１に記載の装置。
【請求項３】
前記第１の可動接続は、回転連結部と、前記上側後方支持部材に接続されている可撓性部材とを備える、請求項２に記載の装置。
【請求項４】
折畳み可能な競技用ゴールであって、
支柱と、
上側クロスバーと、
上側後方支持部材と、
該上側クロスバーおよび該支柱に接続され、自身の中にスロットを有する上コーナーブラケットと、
該上側後方支持部材に連結し、該スロットに嵌入し、該上側クロスバーの周りを回転可能である回転連結部と
を備える、ゴール。
【請求項５】
前記支柱と前記上コーナーブラケットとの間の旋回接続を備える、請求項４に記載の装置。
【請求項６】
前記支柱内に切欠きを備える、請求項４に記載の装置。
【請求項７】
前記回転連結部は、前記ゴールが開放位置にあるとき、前記切欠きに嵌入して、該切欠きに係合する、請求項６に記載の装置。
【請求項８】
前記回転連結部は、前記ゴールが、縦方向に折り畳まれているとき、前記切欠きから係脱するように回転する、請求項７に記載の装置。
【請求項９】
前記支柱と前記上コーナーブラケットとの間に旋回接続を備える、請求項８に記載の装置。
【請求項１０】
前記旋回接続は、前記ゴールの水平方向の折畳みの間、前記支柱を前記上ブラケット内で旋回させるように構成される、請求項９に記載の装置。
【請求項１１】
前記回転連結部は、縦方向の折畳みの間、圧力が前記上側クロスバーに印加されて、該上側クロスバーを前記ゴールの後方部分に向かって押すと、前記切欠きから係脱させる、請求項８に記載の装置。
【請求項１２】
前記回転連結部と前記切欠きとは、安定性を前記ゴールに提供する締まり嵌めを形成する、請求項６に記載の装置。
【請求項１３】
前記回転連結部は、遷移部材および可撓性連結部を介して前記上側後方支持部材に連結している、請求項４に記載の装置。
【請求項１４】
前記可撓性連結部は、横方向の折畳みの間、前記上側後方支持部材が前記支柱に対して静止した状態のままであるように屈曲する、請求項１３に記載の装置。
【請求項１５】
折畳み可能な競技用ゴールであって、
地表部材と、
支柱と、
該ゴールの水平方向および縦方向の折畳みを容易にする継手と、
該支柱上の安定化アームと、
該地表部材上の収容部であって、該収容部は、該ゴールが折り畳まれた位置に縦方向に折り重ねられると、該安定化アームを受容するように配置されている収容部と
を備える、ゴール。
【請求項１６】
前記支柱に近接する前記地表部材の端部から遠隔にある該地表部材の端部における下側後方支持部材と、該下側後方支持部材と該地表部材との間の抵抗要素とを備える、請求項１５に記載の装置。
【請求項１７】
折畳み可能な競技用ゴールであって、
地表部材と、
下側後方支持部材と、
該ゴールの水平方向および縦方向の折畳みを容易にする継手と、
該下側後方支持部材と該地表部材との間の抵抗要素と
を備える、ゴール。
【請求項１８】
折畳み可能な競技用ゴールであって、
相互に移動可能に接続されている上側および下側後方支持部材と、
地表部材に移動可能に接続されている支柱と、
クロスバーと、
該下側後方支持部材と該地表部材との間にある第１の可動接続と、
該上側後方支持部材と該支柱との間にある第２の可動接続と
を備え、該第１および第２の可動接続は、縦方向の折畳みの第１の部分の間、圧力が初めに該クロスバーに印加されると、該下側支持部材を該地表部材から離れるように移動させる、ゴール。
【請求項１９】
前記第１および第２の可動接続は、縦方向の折畳みの第２の部分の間、圧力が前記クロスバーに印加されるとき、前記上側後方支持部材が前記支柱の前方および上部の空間領域の中に移動すると、前記下側支持部材を前記地表部材に向かって移動させる、請求項１８に記載の装置。
【請求項２０】
折畳み可能な競技用ゴールであって、
上側クロスバーおよび下側クロスバーであって、該上側および下側クロスバーは、各々、二重旋回点継手を有しており、該上側クロスバー内の該二重旋回点継手は、該ゴールが開放位置にあるとき、該下側クロスバー内の該二重旋回点継手の配向と異なるような角度で配向され、該ゴールが縦方向に折り畳まれるとき、該下側クロスバー内の該二重旋回点継手の該配向に略整合するように配向される、上側および下側クロスバーを備える、ゴール。
【請求項２１】
横方向の折畳みの間、前記上側および下側クロスバー内の前記二重旋回点継手の位置は、それの両側から中心に向かう前記ゴールの横方向の折畳みを可能にする、請求項２０に記載の装置。
【発明の詳細な説明】
【技術分野】
【０００１】
（関連特許出願への相互参照）
本願は、米国仮特許出願第６１／１４３，６１１号（２００９年１月９日出願）の優先権を主張する。本願の一部分は、また、現在米国特許第５，６８１，２３１号として発行されている米国特許出願第０８／２８８，３０９号（１９９４年８月１０日出願）、現在米国特許第６，５６１，９３１号として発行されている米国特許出願第０８／９５８，３４６号（１９９７年１０月２７日出願）、現在米国特許第６，２２０，７７６号として発行されている米国特許出願第０９／１７９，４０３号（１９９８年１０月２８日出願）および、現在米国特許第７，３７７，７１４号として発行されている米国特許出願第１０／４０５，４７５号（２００３年４月３日出願）の主題と関連している。上に列記された特許出願の全ては、その全体が本明細書に参考として援用される。
【背景技術】
【０００２】
（背景）
本発明は、概して、折畳み可能な構造物の分野に関し、特に、折畳み可能なサッカーゴール等の折畳み可能な競技用ゴールに関する。
【発明の概要】
【課題を解決するための手段】
【０００３】
本発明の一実施形態は、搬送のための好適なサイズに折り畳むことができるサッカーゴールに関する。本発明によるサッカーゴールは、縦方向および横方向の両方に折り畳める。本発明によるゴールは、上側後方支持部材に接続される上コーナーブラケットを有する。上側後方支持部材は、継手によって下側後方支持部材に接続される。上側後方支持部材は、一端において上コーナーブラケットに、他端において下側後方支持部材に接続される。下側後方支持部材の反対端は、後コーナーブラケットに接続される。折り畳みの間、上側および下側後方支持部材は、それらを接続する継手を中心として旋回し、支柱を少なくとも下側後方支持部材の下に折り重ねる。その結果、各下側後方支持部材の大部分が、支柱の前方である画定された範囲内に折り重ねられる。
【図面の簡単な説明】
【０００４】
【図１】図１は、ネットが付着されていない直立状態（非折畳み位置）にある、本発明による折畳み可能なサッカーゴールを示す。
【図２】図２は、図１に示されるサッカーゴールの側面図である。
【図３】図３は、ゴールを縦方向に折り畳むステップの初期段階の間の図１の折畳み可能なサッカーゴールを示す。後方支持部材は、ゴールの後側に向かって移動を開始する。
【図４】図４は、図３に示される折畳み可能なサッカーゴールの側面図である。
【図５】図５は、図３に示される位置からさらに縦方向に折り畳まれた、図１の折畳み可能なサッカーゴールを示しており、すなわち、構造物が折り畳まれると、後方支持部材は、ゴールの支柱によって形成される平面の背後に来る。
【図６】図６は、図５に示される折畳み可能なサッカーゴールの側面図である。
【図７】図７は、図５に示される位置からさらに縦方向に折り畳まれた、図１の折畳み可能なサッカーゴールを示しており、すなわち、構造物は、ゴールの後方支持部材が、ゴールの支柱によって形成される平面と同じ高さとなる点まで折り畳まれている。
【図８】図８は、図７に示される折畳み可能なサッカーゴールの側面図である。
【図９】図９は、ゴールの支柱と整列している平面を例示する。本平面は、ゴールが、折り重ねられることによって支柱とともに移動する。
【図９ａ】図９ａは、ゴールが、図５におけるように、折り重ねられている支柱と整列している平坦基準平面を例示する。
【図１０】図１０は、図８に示される位置からなおさらに縦方向に折り畳まれた、図１の折畳み可能なサッカーゴールを例示しており、すなわち、構造物は、上側後方支持部材が、ゴールの支柱と整列している平面を越えて、その前方に来るまで折り畳まれている。
【図１１】図１１は、図１０に示される折畳み可能なサッカーゴールの側面図である。
【図１２】図１２は、後方支持部材が、ゴールの前方に向かって移動を開始するまで縦方向に折り畳まれている、図１の折畳み可能なサッカーゴールを例示しており、ここで、安定化アームは対応する四角形の収容部に係合しようとしている。
【図１３】図１３は、図１２に示される折畳み可能なサッカーゴールの側面図である。
【図１４】図１４は、ゴールが折り畳まれるときに、図１のサッカーゴール内の四角形の収容部内への安定化アームの係合の詳細図である。
【図１５】図１５は、安定化アームが、対応する四角形の収容部に係合するように、縦方向に折り畳まれた図１のサッカーゴールを例示する。
【図１６】図１６は、ゴールの後方支持部材が、ゴールの支柱の上部の場所に折り重ねられるように、折り重ねられた図１のサッカーゴールを例示する。
【図１７】図１７は、縦方向に折り畳まれた位置にある、図１の折畳み可能サッカーゴールを示す。
【図１８】図１８は、図１７に示される折畳み可能なサッカーゴールの側面図である。
【図１９】図１９は、縦方向に折り畳まれた位置にある、図１の折畳み可能なサッカーゴールの後方からの図である。
【図２０】図２０は、横方向の折畳みの初期段階における、図２０に示される縦方向に折り畳まれた折畳み可能なサッカーゴールを示す、前方からの図である。
【図２１】図２１は、横方向の折畳みの初期段階における、本発明によるゴールのさらなる図である。
【図２２】図２２は、本発明によるゴールの上側クロスバー、上側後方支持部材、および支柱の接続を示す、上部ブラケットアセンブリの図である。
【図２３】図２３は、図２２に例示される配列を示すが、例示の目的のために上コーナーブラケットは示されていない。
【図２４】図２４は、図２２および２３に関連して示される要素のより詳細な図であって、上コーナーブラケットの外装は、要素および接続を例示する目的のために示されていない。
【図２５】図２５は、本発明によるゴールの支柱内の切欠きの配列を例示する。
【図２６】図２６は、図２４に示される詳細な配列を例示しており、上部ブラケットが、適所に示されている。
【図２７】図２７は、本発明によるゴール内の後方ブラケットアセンブリを例示する。
【図２８】図２８は、本発明によるゴール上の後方ブラケットアセンブリの側面図である。
【図２９】図２９は、本発明によるゴールの横方向の折畳みのさらなる段階を例示する。
【図３０】図３０は、異なる方向から見た、図２９の横方向の折畳みの段階を例示する。
【図３１】図３１は、さらなる横方向の折畳みの段階における、本発明によるゴールを例示する。
【図３２】図３２は、別の視点から見た、図３１に示される横方向の折畳みの段階を例示する。
【図３３】図３３は、完全に折り畳まれた本発明によるゴールを例示する。
【図３４】図３４は、図３３に示されるものと異なる視点から見た、完全に折り畳まれた本発明によるゴールを例示する。
【発明を実施するための形態】
【０００５】
図１は、折畳み可能な構造物、特に、本発明による折畳み可能なサッカーゴールを例示する。図１は、サッカー競技において使用されるような直立または開放位置にある、本発明による折畳み可能なサッカーゴールを示す。例示の目的のために、図１は、ネットを伴わないサッカーゴールを示している。
【０００６】
図１に示される折畳み可能なサッカーゴール１００は、地表部材１０２を有する。上側後方支持部材１０４と下側後方支持部材１０６とは、単一の旋回継手１０８によって結合される。下側後方支持部材１０６と地表部材１０２とは、旋回点２１０によって地表ブラケット１１０に接続される。
【０００７】
地表ブラケット１１０は、また、旋回点２０４において下側クロスバー１１２に接続される。図１に示されるように、下側クロスバー１１２は、好ましくは、その間の遷移区画１１６によって、地表および隆起区画１１８に接触する平坦区画１１４を有する。隆起区画１１８は、折重ね式継手１２０によって結合される。限定ではなく、例示として、継手１２０は、Ｒｅｅｖｅｓによる米国特許第６，２２０，７７６号（Ｒｅｅｖｅｓ’７７６）（参照することによって本明細書に組み込まれる）の少なくなくとも図１８に開示される種類の二重旋回またはキックアウト式部材継手であってもよい。
【０００８】
限定ではなく、例示として、地表部材１０２、コーナー部材１２２、および継手１２４のソケット部分は、Ｒｅｅｖｅｓによる米国特許第５，６８１，２３１号（Ｒｅｅｖｅｓ‘２３１）（参照することによって本明細書に組み込まれる）の少なくとも図７および８に開示される種類のものであってもよい。地表部材１０２は、有空隙アームと、無空隙アームとを有する肘状部である。地表に接触する部材１０２の部分は、無空隙アームであって、地表ブラケット１１０に接続する。有空隙アームは、継手１２４のソケット部分である。肘状部は、部材１２２の９０度のコーナー屈曲部である。
【０００９】
また、限定ではなく、例示として、継手１２４は、Ｒｅｅｖｅｓによる米国特許第７，３７７，７１４号（Ｒｅｅｖｅｓ‘７１４）（参照することによって本明細書に組み込まれる）の少なくとも図１０に開示される種類のものであってもよい。サッカーゴールの前方または前底面部分において、各地表部材１０２は、遷移コーナー部材１２２に接続する。遷移コーナー部材１２２は、湾曲形状を有するように図１に示されるが、他の好適な形状も同様に使用されてもよい。遷移コーナー部材１２２は、継手１２４の一端に接続する。また、継手１２４は、Ｒｅｅｖｅｓ‘７１４に開示される「可動部材」に対応する、直立の部材１２６の一端に接続される。直立部材１２６の他端は、上コーナーブラケット１２８に接続する。
【００１０】
安定化アーム１３０、支柱１２６から突出していることにより、ゴールが折り畳まれるときに、安定化アーム１３０が四角形の収容部１３２内に挿入され、上側クロスバーが本明細書でさらに論じられる水平方向の折重ねプロセスの間、下側クロスバーに干渉しないようにする。安定化アーム１３０は、１つの要素として、支柱１２６に別個に取着可能であるか、または支柱１２６と一体的に形成可能である。収容部１３２および対応する嵌合安定化アーム１３０は、示される嵌合式の四角形形状に限定されず、三角形および円形形状等の任意の他の好適な支持幾何学形状構成であってもよい。
【００１１】
上側後方支持部材１０４は、本明細書でさらに論じられるように、他の要素を介して、上コーナーブラケット１２８に接触する。また、上部クロスバー１３４は、本明細書でさらに論じられるように、上コーナーブラケット１２８に接続する。上部クロスバー１３４は、最大１８０度の運動を可能にする連結部を有する継手である、二重旋回継手１３６に接続する。限定ではなく、例示として、二重旋回継手１３６は、少なくともＲｅｅｖｅｓ‘７７６の図１８に開示される種類のものであってもよい（参照することによって本明細書に組み込まれる）。
【００１２】
図２の側面図は、本明細書にさらに説明される、地表ブラケット１１０と関連付けられた要素を含む、後コーナーブラケットアセンブリ２００を示す。これらは、ゴールが折り畳まれる速度を制限する、運動抑制または抵抗要素２０１を含み、それによって、ゴールが過度に急速に折り畳まれる場合に生じ得る損傷を防止する。また、図２は、本明細書でさらに論じられるように、ゴール全体に対して後方支持部材を四角形に維持することに有用となる、角支持要素２０２を示す。
【００１３】
本発明に従うゴールは、縦方向および横方向の両方に折り畳める。操作において、ゴールは、好ましくは、最初に縦方向に折り畳まれる。図３は、ゴールを縦方向に折り畳むステップの初期段階を例示する。旋回継手１０８および屈曲連結部継手１２４を固定非旋回位置に係合する摺動継手係止外筒３１５等の機構は、継手１０８および１２４の部材が、自由に係脱し、旋回するように係脱または開放位置に移動させられる。図３に示されるように、旋回継手１０８は、例えば、ソケット１５３に係合し、そこから係脱するために、ボルト（図示せず）の周りを回転させることによって、単一点１５３を中心として旋回する縮径端旋回部材１５１を有する。類似旋回継手は、米国特許第６，５６１，９３１号（Ｒｅｅｖｅｓ‘９３１）（参照することによって本明細書に組み込まれる）において、少なくとも要素２２０５として例示されている。次いで、ゴールを折り畳むユーザは、ゴールの前方から後側に向かって、上側クロスバー１３４に圧力を加える。支柱１２６は、継手１２４および継手１０８を利用して、ゴールの後側に向かって移動し始め、後方地表ブラケット１１０と上コーナーブラケット１２８とが折り重なり始める。その結果、上コーナーブラケット１２８によって恒久的に結合されている上側クロスバー１３４および支柱１２６は、ゴールの後側に向かってともに移動し始める。上側後方支持部材１０４および下側後方支持部材１０６は、継手１０８を中心として旋回する。ユーザが、上側クロスバー１３４に圧力を加えると、後方支持部材１０４および１０６は両方とも、後方、すなわち、ゴールの中心から上向きおよび外向きに移動を開始する。この運動は、後方支持部材が、ゴールの中心に内向きおよび下向きに折り重なり始める従来の折畳み可能なゴールとは対照的である。
【００１４】
図４は、図３に示される状態をさらに例示する。図４の破線および矢印は、ゴールが直立位置から折り畳まれるときの、ゴールの移動方向を示す。図４の破線は、ゴールが、直立または開放位置にあるときの支柱１２６、下側後方支持部材１０６、および上側後方支持部材１０４の位置を例示する。図４は、圧力が、上側クロスバー１３４に加えられると、直立部材１２６が地表部材１１２に向かって移動し、上側および下側後方支持部材１０４および１０６が、それぞれ、直立ゴールにおけるその位置から上向きおよび外向きに移動することをさらに例示する。
【００１５】
図５および６は、ゴールが、さらに折り畳まれることに伴う上述のゴール構成要素の相対的位置を例示する。
【００１６】
図７および８は、上側後方支持部材１０４が、支柱１２６およびクロスバー１３４によって形成される平面を越え、その前方に来る直前における折り畳みつつあるゴールを例示する。この位置は、後方支持部材１０４が、支柱１２６の前方または上部に折り重なり始める直前に到達されるか、あるいは上側クロスバー１３４および支柱１２６が、後方支持部材１０４下に折り重なる直前と同じ位置である。ゴールが、この点からさらに折り畳まれるときに、上側および下側後方支持部材１０４および１０６は、支柱１２６と整列している基準平面に対する領域内へと、ゴールの開口部または前方に向かって前方に進行し始める。
【００１７】
参照しやすいように、図９は、ゴールが、開放位置にあるときの基準平面９１５に対する領域９３０の場所を例示する。また、図９は、基準平面９１５に対する第２の領域９５０を示す。図９に示されるように、平坦な基準平面９１５は、支柱１２６の両方の中心およびクロスバー１３４の中心を通って位置し、開放位置におけるゴールの得点平面と平行である。平面９１５は、２つの空間領域９３０および９５０を区切る。空間領域９３０は、支柱１２６の前方または上部の範囲である。空間領域９５０は、支柱１２６の後方または下部の範囲である。したがって、平面９１５は、図１のサッカーゴールの独特の折重ね設計を説明することを可能にする基準平面である。平面９１５と支柱１２５とは、それらが折り重なるときに共に移動する。図９ａは、ゴールが、図５におけるように折り重ねられているときの、支柱１２６と整列している平坦基準平面９１５を示す。
【００１８】
図１０および１１は、上側クロスバー１３４が下側クロスバー１１２にさらに近くに押動させられ、支柱１２６が地表部材１０２に向かって下向きに移動させられているときの、本発明によるゴールを例示する。上側クロスバー１３４が、下側クロスバー１１２に接近するとき、運動抑制または抵抗部材２０１および角支持部材２０２によって、上コーナーブラケット１２８および地表ブラケット１１０と作用する継手１２４および１０８を介して促進される運動の結果、上側および下側支持部材１０４および１０６は、ゴールの前方に向かって移動し始める。図１０においては、上側後方支持部材１０４は、領域９３０、すなわち、支柱１２６の前方または上部の領域に位置する。これは、領域９５０、すなわち、支柱１２６の後方または下の領域に位置する上側後方支持部材１０４を示す、図１と対照的である。
【００１９】
図１２および１３は、上側クロスバー１３４および支柱１２６が、支柱１２６から突出する安定化アーム１３０が、地表部材１０２の一部またはそこに取着されている四角形の収容部１３２に係合しようする点までさらに降下するときの、本発明によるサッカーゴールの種々の構成要素の位置を例示する。安定化アーム１３０の四角形の収容部１３２との係合は、水平方向の折重ね段階を介して、上側クロスバー１３４に対して更なる支持を提供する。上側クロスバー１３４は、下側クロスバー１１２と干渉しないであろう。安定化アーム１３０の四角形の収容部１３２との係合は、上側および下側クロスバー１３４および１１２が、後のゴールの折畳みのために後に係脱されるときに、支柱１２６が望ましくない態様で回転または別様に移動することを防止する。このことは、ゴールが、横方向に折り畳まれるときに、絡み合うことなく、上側および下側クロスバー１３４および１１２が、２つの異なる平面上を移動することを可能にするであろう。
【００２０】
図１４は、四角形の収容部１３２内に係合されている安定化アーム１３０の詳細図である。図１４に示されるように、いずれの場合も、四角形の収容部１３２は、安定化アーム１３０を受容する位置において、地表部材１０２の一部であるか、またはそれに取着されている。限定ではなく、例示として、図１４では、四角形の収容部１３２は、運動抑制または抵抗部材２０１に近接する位置に示されている。選択的に、図１４に示されるように、限定ではなく、例示として、運動抑制または抵抗部材２０１は、四角形の収容部１３２に取着されていてもよいが、抵抗部材２０１と四角形の収容部１３２とに対する別の取着もまた、発明の範囲内である。限定ではなく、例示として、図１４は、上コーナーブラケット１２８に近接する位置における、支柱１２６から突出する安定化アーム１３０を示している。安定化アーム１３０は、支柱１２６に取着される要素であってもよく、または支柱１２６の一体部分として形成されてもよい。また、図１４に示されるように、安定化アーム１３０が、四角形の収容部１３２内に係合されると、上側クロスバー１３４と下側クロスバー１１２とは、分離されて、絡み合うことが不可能になる。
【００２１】
図１５および１６は、安定化アームが、四角形の収容部に係合した直後のゴールの位置を例示している。折畳みのこの段階では、上側支持部材１０４は、支柱１２６および地表部材１０２の縦方向上方にある。また、折畳みのこの段階では、上側支持部材１０４は、完全に領域９５０内にある。
【００２２】
図１７、１８、および１９は、３つの異なる視点からの折畳みの第１の段階終了時、すなわち、ゴールが、完全に、縦方向に折り重ねられた時のゴールの位置を例示する。折畳みの本段階では、上側支持部材１０４は、図９ａに示されるように、上側支持部材１０４の一部が、支柱１２６の後方または下部の領域９５０内にあって、上側支持部材１０４の一部が、支柱１２６の上方または上部の領域９３０内にあるように、部分的に、平面９１５を乗り越えている。折畳みの段階では、下側支持部材１０６の大部分は、地表部材１０２、上側支持部材１０４、および支柱１２６、ならびに上側および下側クロスバー１３４と１１２の上方に位置する。
【００２３】
縦方向に折り畳まれた後に、本発明によるゴールは、横方向に折り畳まれる準備が完了する。図２０は、横方向の折畳みの段階の開始を例示する。ユーザは、係止スライダ外筒３１５を開放位置に摺動させることによって、それぞれ、下側および上側クロスバー上の継手１２０および１３６の係止を解除する。次いで、ユーザは、図２０に示されるように、継手１２０および１３６を折り重ねることによって、ゴールの左および右区画を相互に向かって移動させ始める。典型的には、ユーザは、ゴール後方から圧力を加え、ゴールの前方平面または得点平面、すなわち、直立位置におけるゴールの開放範囲であった場所に向かってそれらを押動することにより、上側および下側クロスバー継手１２０と１３６を係脱させることによって、この移動を達成するであろう。
【００２４】
図２１は、横方向に折り畳まれるときの、本発明によるゴールの別の図である。図２１は、ゴールが、縦方向に折り畳まれるときの、横方向の折畳みの初期段階における、上コーナーブラケット１２８および後方底面コーナー継手アセンブリ２００の位置を示す。これらのブラケットのより詳細な議論は後述される。
【００２５】
図２２は、本発明に従うゴールが直立位置にあるときの、上コーナーブラケット１２８の一構成を例示している。上コーナーブラケット１２８は、支柱１２６、上側後方支持部材１０４、および上側クロスバー１３４に接続する。図２２は、上側クロスバー１３４が、締結点またはボルト３０１において、上コーナーブラケット１２８に接続され、支柱１２６が、本明細書でさらに論じられるように、旋回接続３０３によって、上ブラケット１２８に接続される様子を例示する。また、図２２は、上側後方支持部材１０４が、上側後方支持部材１０４の縮径端部であり得る、遷移部材３０５に接続する様子を例示する。可撓性連結部３０７の一端は、上側後方支持部材１０４の３０５の縮径端部に接続する。可撓性連結部３０７の第２の端部は、回転管３０９の一端に接続する。回転管３０９の第２の端部は、好ましくは、平坦金属から形成される回転連結部３１１に接続する。回転管３０９および回転連結部３１１はともに、回転アーム３１０を形成する。回転連結部３１１は、上部ブラケット１２８のスロット３１８内に嵌合し、本明細書でさらに論じられるように、動作する。
【００２６】
例示の目的のために提供される図２３は、図２２に論じられる配列を示すが、上部ブラケット１２８は、示されておらず、回転管３０９は、半透明であるかのように示される。
【００２７】
図２４は、回転連結部３１１およびその動作のより詳細な図を提供するが、ブラケット１２８は、図面から除去されており、回転管３０９および支柱１２６は、例示の目的のために、半透明として示される。図２４に示されるように、回転連結部３１１の目的の１つは、ゴールが、使用のために開放位置にあるときに、安定嵌合を提供することである。そのような安定嵌合は、ゴールが、開放または非折重ねのときに、支柱１２６上部の切欠き１２７内に突出するように成形される回転連結部３１１によって、達成可能である。そのような切欠き１２７は、図２５に示される。好ましくは、図２４に示されるように、回転連結部３１１の突起部分３１３は、切欠き１２７を通って、切欠き１２７を形成する、支柱１２６内の開口部に対向する、支柱１２６の壁１２９まで延在する。回転連結部３１１は、ゴールが直立位置にあるときに壁１２９に接触し、回転部材３１１のさらなる回転を防止する、平坦停止区画３１５を有する。また、この接触は、開放ゴールに安定性を追加する。これは、直立位置におけるゴールの他の要素に対して、支柱１２６を適切に配置することに有用である。ゴールが折り重ねられると、縦方向の回転連結部３１１は、クロスバー１３４上を転動し、突起部分３１３は、支柱１２６内の切欠き１２７から係脱される。これによって、支柱１２６は、ゴールの横方向の折畳みの間、旋回点３０３上を旋回可能となる。
【００２８】
好ましくは、回転連結部３１１の突起部分３１３は、回転連結部３１１の片側のみに存在する。その結果、回転連結部３１１は、縦方向の折畳みの間、クロスバー１３４の周りを回転し、横方向の折畳みの間、切欠き１２７内に突起は存在しないことになる。横方向の折畳みの間、切欠き１２７内に突起が不在であることによって、支柱１２６は、ゴールが折り畳まれると、上側クロスバー１３４および上コーナーブラケット１２８に対して旋回可能となる。しかしながら、ゴールが、開放位置にあるときには、突起３１３は切欠き１２７内に係合され、切欠き１２７と突起部分３１３との間の締まり嵌めが支柱１２６の横方向の移動を防止する。言い換えると、ゴールが、開放位置にあって、突起３１３が切欠き１２７内に係合された状態のときに、支柱１２６と回転連結部３１１との間に締まり嵌めが存在し、支柱１２６が旋回接続３０３上を移動することを防止する。突起３１３と切欠き１２７とのこの締まり嵌めは、使用時にゴールを安定化させるように作用する。
【００２９】
さらに、図２４は、回転連結部３１１から、回転管３０９内に延在し、回転管を回転連結部に接続する部分３１７を例示する。
【００３０】
図２６は、図２２−２５に示される機構のより詳細な例示であって、上コーナーブラケット１２８、回転管３０９、および支柱１２６は、開放位置にあるゴールとともに、透明として適所に示されている。ブラケット１２８は、回転連結部３１１の区画３１３の回転に対応するために、支柱１２６内の切欠き１２７と整列したスロット１２９を有することに留意されたい。略直角の形状を有する上部ブラケット１２８は、ブラケットの一端において、回転旋回３０３を介して支柱１２６に接続し、ブラケットの他端の締結点３０１において、上部クロスバー１３４に接続している。
【００３１】
図２７は、本発明に従うゴールにおける後方底面コーナーブラケットアセンブリ２００の１つの可能性のある構成を例示する。地表ブラケット１１０は、締結点またはボルト２０７および旋回点２１０を利用して、下側後方支持部材１０６を地表部材１０２に接続するための手段を提供する。上述のように、四角形の収容部１３２は、地表部材１０２に接続される。後方底面コーナーブラケット１１０の角ブラケット要素２０２は、下側後方支持部材１０６の内部、すなわち、ゴールの中心において、下側後方支持部材１０６に支持を提供する。ゴールが直立位置にあるときに、角部材２０２は、下側後方支持部材１０６を支持し、それによってネットの重量の下で後方支持部材を四角形に維持することに有用となる。また、後方地表コーナーブラケット１１０は、ボルトおよび旋回接続２０４によって、下側クロスバー１１２の区画１１４を接続し、ゴールの横方向の折畳みを容易にする。上述のように、運動抑制または抵抗部材２０１は、ゴールが過度に急速に折り畳まれることを防止することによって、安全性を提供する。好ましくは、抵抗要素２０１は、圧縮モードにおいて一方向性であり、それにより、例えば、ゴールを縦方向に折り畳むとき、ユーザに、抵抗要素２０１の抵抗を克服するような圧力をゴールに加えさせることによって、ゴールは容易に立ち上がるが、制御されている折畳みを提供する。
【００３２】
図２８は、付加的要素が示されている、後方地表コーナーブラケットアセンブリ２００の側面図である。図２に示されたように、抵抗要素２０１は、地表部材１０２と下側後方支持部材１０６との間に接続され、制御された折畳みを提供する。限定ではなく、例示として、図２８では、抵抗要素２０１の接続は、下側後方支持部材１０６への旋回接続２０６と、地表部材１０２に接続される四角形の収容部１３２への旋回接続２０８とによってなされる。また、図２８は、下側後方支持部材１０６の一端が回転する旋回点２１０を示す。
【００３３】
図２９は、ゴールが中心に向かって両側から折り畳まれるときの、さらなる横方向の折畳みの段階にある本発明によるゴールを例示する。図３０は、別の角度から見た、折畳みの同一段階を例示する。横方向の折畳みの間、継手１３６および１２０は、それぞれ、上側および下側クロスバー１３４および１１２を相互に接近させ、直立位置にあるゴールの開放部分に対応する範囲に向かって移動させる。上部ブラケット１２８および旋回点３０３は、上側クロスバー１３４を支柱１２６に対して旋回させる。同様に、下側クロスバー１１２の地表区画１１４に旋回可能に接続されているボルトおよび旋回点２０４は、下側クロスバー１１２を地表部材１０２に対して旋回させる。同時に、屈曲連結部３０７は、上コーナーブラケット１２８が旋回点３０３を中心として旋回するときに、上側後方支持部材１０４を固定状態にしたまま、屈曲および捻転する。
【００３４】
図３１および３２は、さらなる横方向の折畳みの段階におけるゴールを例示する。図３３および３４は、完全に折り畳まれた位置における、本発明によるゴールを例示する。
【図１】
2012514523.tif 000003
【図２】
2012514523.tif 000004
【図３】
2012514523.tif 000005
【図４】
2012514523.tif 000006
【図５】
2012514523.tif 000007
【図６】
2012514523.tif 000008
【図７】
2012514523.tif 000009
【図８】
2012514523.tif 000010
【図９】
2012514523.tif 000011
【図９ａ】
2012514523.tif 000012
【図１０】
2012514523.tif 000013
【図１１】
2012514523.tif 000014
【図１２】
2012514523.tif 000015
【図１３】
2012514523.tif 000016
【図１４】
2012514523.tif 000017
【図１５】
2012514523.tif 000018
【図１６】
2012514523.tif 000019
【図１７】
2012514523.tif 000020
【図１８】
2012514523.tif 000021
【図１９】
2012514523.tif 000022
【図２０】
2012514523.tif 000023
【図２１】
2012514523.tif 000024
【図２２】
2012514523.tif 000025
【図２３】
2012514523.tif 000026
【図２４】
2012514523.tif 000027
【図２５】
2012514523.tif 000028
【図２６】
2012514523.tif 000029
【図２７】
2012514523.tif 000030
【図２８】
2012514523.tif 000031
【図２９】
2012514523.tif 000032
【図３０】
2012514523.tif 000033
【図３１】
2012514523.tif 000034
【図３２】
2012514523.tif 000035
【図３３】
2012514523.tif 000036
【図３４】
2012514523.tif 000037
【国際調査報告】
2012514523.tif 000038
2012514523.tif 000039